Podtech/llm-jp-corpus-v4-ja_patent huggingface dataset:
(57)【要約】      （修正有）【課題】建物の屋根構造において、軒樋を内蔵した野地パネルを提供する。【解決手段】あらかじめ工場内で所定の設計で組み付け軒樋４を内蔵した、建物の屋根構造用の野地パネル１であって、少なくとも野地板２と、垂木３と、軒樋４と、鼻隠し５とを有し、屋根勾配に沿って載設され、野地パネル１の軒先端の全幅に沿って軒樋４の取り付け部を開口上向きに略溝状に設け、この略溝状と接する垂木３に適切な切欠き凹みを設けて軒樋４を支持・固定し、さらには軒樋４を隠すように鼻隠し５を設け、且つ鼻隠し５の上端を軒樋４よりも高い位置に達してこれらを一体に成した。【選択図】図１
0003227412.tif 000002
【実用新案登録請求の範囲】
【請求項１】
あらかじめ工場内で所定の設計で組み付け軒樋を内蔵した、建物の屋根構造用の野地パネルであって、少なくとも野地板と、垂木と、軒樋と、鼻隠しとを有し、屋根勾配に沿って載設され、該野地パネルの軒先端の全幅に沿って該軒樋の取り付け部を開口上向きに略溝状に設け、この略溝状と接する該垂木に適切な切欠き凹みを設けて該軒樋を支持・固定し、さらには該軒樋を隠すように該鼻隠しを設け、且つ該鼻隠しの上端を該軒樋よりも高い位置に達してこれらを一体に成したことを特徴とする軒樋を内蔵した野地パネル。
【考案の詳細な説明】
【技術分野】
【０００１】  本考案は、建物の屋根構造に使用される野地パネルに関する。
【背景技術】
【０００２】  従来より、建物の建築構造を向上させるために様々な提案がなされており、作業効率を目的とした屋根構造用の野地パネルもその一つで、工事期間の短縮などに効果を上げている。【０００３】  近年、屋根構造を支持するだけでなく、例えば、下記に示す、本体に排水機構を確保し雨水等の排水路を内蔵した屋根構造体が市販されている。
【先行技術文献】
【特許文献】
【０００４】
【非特許文献１】新建ハウジングＤＥＧＩＴＡＬ  ｈｔｔｐｓ：／／ｗｗｗ．ｓ−ｈｏｕｓｉｎｇ．ｊｐ／ａｒｃｈｉｖｅｓ／５１４４３  「ＹＫＫ  ＡＰ、雨樋を内蔵したシステムひさし」（２０１４年４月１日付）
【考案の概要】
【考案が解決しようとする課題】
【０００５】  しかしながら、建物の屋根全面を施工できる大きさではなく、玄関入り口のひさし等、用途が限られるなどの問題点を有していた。【０００６】  本考案は、上記従来有する問題点に鑑み、建物の屋根構造に使用される野地パネルに関し、詳しくは、軒樋を内蔵した野地パネルを提供しようとするものである。
【課題を解決するための手段】
【０００７】  あらかじめ工場内で所定の設計で組み付け軒樋を内蔵した、建物の屋根構造用の野地パネル１であって、少なくとも野地板２と、垂木３と、軒樋４と、鼻隠し５とを有し、屋根勾配に沿って載設され、該野地パネル１の軒先端の全幅に沿って該軒樋４の取り付け部を開口上向きに略溝状に設け、この略溝状と接する該垂木３に適切な切欠き凹みを設けて該軒樋４を支持・固定し、さらには該軒樋４を隠すように該鼻隠し５を設け、且つ該鼻隠し５の上端を該軒樋４よりも高い位置に達してこれらを一体に成した。
【考案の効果】
【０００８】  本考案によれば、屋根構造を構成する部材を組み付けした野地パネル形状であることから、屋根組への取り付け作業等が容易であり、工事期間の短縮が期待できる。【０００９】  また、本考案の野地パネルは軒樋と一体に形成されていることから、従来屋根構造の雨樋設置作業時間を大幅に軽減することが期待できる。【００１０】  また、本考案の野地パネル同士を隣り合わせて連結することで、容易に軒を連ねることができ、同時に軒樋も連続できることから、作業効率効果が期待できる。【００１１】  製品仕様によっては、本考案の野地パネルの構造の一部である軒樋に異物混入を防ぐための蓋や網、凍結防止装置を別途装着することも可能である。
【考案を実施するための最良の形態】
【００１２】  以下、本考案の実施の形態について、図面を参照して説明する。
図１・図２に示すように、あらかじめ工場内で所定の設計で組み付け軒樋を内蔵した、建物の屋根構造用の野地パネル１であって、少なくとも野地板２と、垂木３と、軒樋４と、鼻隠し５とを有し、屋根勾配に沿って載設され、該野地パネル１の軒先端の全幅に沿って該軒樋４の取り付け部を開口上向きに略溝状に設け、この略溝状と接する該垂木３に適切な切欠き凹みを設けて該軒樋４を支持・固定し、さらには該軒樋４を隠すように該鼻隠し５を設け、且つ該鼻隠し５の上端を該軒樋４よりも高い位置に達してこれらを一体に成した。
【図面の簡単な説明】
【００１３】
【図１】  本考案に於ける野地パネルの略構造を説明する拡大側面図である。
【図２】  本考案に於ける野地パネルの正面図である。
【符号の説明】
【００１４】  １    野地パネル
２    野地板
３    垂木
４    軒樋
５    鼻隠し
【図１】
0003227412.tif 000003
【図２】
0003227412.tif 000004
(57)【要約】      （修正有）【課題】衛生マスクを継続して使用することを可能にした抗菌・抗ウィルス加工を施したマスクインナーを提供する。【解決手段】マスクインナー１は、金属酸化物の微粒子を高温高圧で混ぜ込む、あるいは、高温高圧で練り込んだ純綿素材の布や糸から作られる。洗濯回数を増やしても、長期間、抗菌、殺菌作用の効果と消臭の効果を高め、マスクインナー１を使用することにより、衛生マスク２を繰り返し使うことができる。【選択図】図２
0003227444.tif 000002
【実用新案登録請求の範囲】
【請求項１】
糸や布に金属酸化物の微粒子を高温高圧で混ぜ込む、あるいは高温高圧で練り込んだ純綿素材の布や糸から作られる抗菌、抗ウィルス効果と消臭効果を特徴とする洗濯することのできるマスクインナー。
【考案の詳細な説明】
【技術分野】
【０００１】        本考案は、衛生マスクを継続して使用することを可能とする抗菌、抗ウィルス加工をしたマスクインナーに関するものである。
【背景技術】
【０００２】        従来、多く衛生マスクは不織布で製造され、使い捨てマスクとして利用されてきた。顔面に密着できるようなマスクインナーや、空気などの気体に含まれる異物を除去するマスクフィルターは開発されている。
【先行技術文献】
【特許文献】
【０００３】
【特許文献１】特許公開  ２０００−２８８１０９
【特許文献２】特許公開  ２０１９−２０６７７３
【考案の概要】
【考案が解決しようとする課題】
【０００４】        近年、花粉症対策とインフルエンザや新型コロナウィルス等の感染症予防のため、マスクを装着する機会が増える傾向にある。不織布の使い捨てマスクを長期間に使用することができ、ガーゼマスクの欠点を解消する洗濯しても効果がおちず、経済的なマスクインナーを提供することを目的とする。
【課題を解決するための手段】
【０００５】        本考案は、不織布の使い捨てマスクを長期間使用することを可能とし、ガーゼマスクの欠点を解消する抗菌、抗ウィルス加工した洗濯できるマスクインナーである。【０００６】        本考案は、金属酸化物の微粒子を高温高圧で混ぜ込む、あるいは高温高圧で練り込んだ純綿素材の布や糸から作られたマスクインナーである。
【考案の効果】
【０００７】        衛生マスクと顔面の間にマスクインナーを付けて利用することにより、継続的に衛生マスクを使用することに効果的であり、抗菌、抗ウィルス加工で、感染症予防対策に役立つ。【０００８】        マスクインナーには、金属酸化物の微粒子を高温高圧で混ぜ込む、あるいは高温高圧で練り込んだ純綿素材の布や糸を使用する。呼吸により適度な湿気が純綿素材の布に与えられ、ウィルスの吸着が容易になり、不織布製やガーゼ製などのマスクを通過したウィルスを純綿素材の布で効率良く捕え、ウィルスの捕集効率を向上させて、衛生マスクやマスクインナーに付着したウィルスを死滅させる。【０００９】        マスクインナーは純綿製で、金属酸化物の微粒子で加工していることから、洗濯して何度も繰り返し使用しても抗菌、抗ウィルスの効果がおちることなく使用することができ、外側の使い捨てマスクも何度も使用することが可能になることから経済的である。【００１０】        抗ウィルス薬は、まだ少ししか開発されていないので、抗菌、抗ウィルス加工のマスクインナーにより、感染症の予防ができ、不安が解消される。
【図面の簡単な説明】
【図１】本考案の抗菌、抗ウィルス加工した純綿素材のマスクインナーの図。
【図２】本考案の装着側から見たマスクインナーと衛生マスクの図。
【図３】本考案の装着側から見たマスクインナーと衛生マスクの図。
【図４】本考案の正面から見たマスクインナーと衛生マスクの斜視図。
【考案を実施するための形態】
【００１１】        図１〜図４に、本考案の実施形態を例示する。
図１は、金属酸化物の微粒子を高温高圧で混ぜ込む、あるいは高温高圧で練り込んだ純綿素材の布や糸から作られたマスクであり、図２〜図４のように、衛生マスクと顔面の間に装着して使用する。マスクインナーには、タックやずれ防止のテープなどをつけると、いっそう便利である。マスクインナーを使用することにより、抗菌、抗ウィルス効果を高め、洗濯により継続的に使えて経済的な効果をあらわすものである。
【符号の説明】
【００１２】１  抗菌、抗ウィルス加工した純綿素材のマスクインナー
２  衛生マスク
【図１】
0003227444.tif 000003
【図２】
0003227444.tif 000004
【図３】
0003227444.tif 000005
【図４】
0003227444.tif 000006
(57)【要約】      （修正有）【課題】心身の負担を軽減し、身体機能や認知機能の低下に関わらず、着物の着用機会の増加を図る着物の下衣を提供する。【解決手段】胴部分で二分割した着物の下衣の後ろ身ごろ１、４中央の背縫い部分の左右を縫合せずに切り離して全開し、後ろ身ごろと脇縫いしてある左右の下衣前身ごろ２、３を右前に重ねて胴衣部分で縫合して一枚の布の状態になっている。【選択図】図１
0003227447.tif 000002
【実用新案登録請求の範囲】
【請求項１】
胴部分でニ分割した着物の下衣の後ろ身ごろ中央の背縫い部分の左右を縫合せずに切り離して全開し、後ろ身ごろと脇縫いしてある左右の下衣前身ごろを右前に重ねて胴衣部分で縫合して一枚の布の状態になっている着物の下衣。
【考案の詳細な説明】
【技術分野】
【０００１】      本考案は、二部式着物の下衣に関するものである。
【背景技術】
【０００２】      簡易着物は以前にもあったが、一人でも着やすいように立位を前提とする、一枚布に仕立てた身ごろを腹部の前で合わせて、体を包み込む巻きスカート・ワンピース様式であったので、歩行時に歩幅に制限を受けたり、車椅子使用者や寝たきりの人には介助を受けても着脱に時間がかったり、腰が上がらない人には着脱が困難になったりする事が多い状況である。また、着物を着た場合に課題となる事が多い排泄行為に介助が必要な障がい者や高齢者、認知症を持つ人が近年増加している状況が有り、従来品では介助が困難でさらに課題が増大している。そして、従来の着物の着用時には多数のひもで締めつけるので、疲労感や血行不良等の心身の負担が大きい。しかし上下に二分割して下衣を作成しても、胴囲や裾周りをゆとりなく固定する形式では、締め付け感の解消や下肢の自由な動きを確保しにくい。また、背中心を全開にして前面の膝部分を覆って固定し、着脱を簡略化するだけでは、下肢の露出部分が生じ、着物本来の美しさや人としての尊厳を侵しかねない。また、着物の縫製は手縫いが主で、和裁の知識が乏しいものには容易ではない。このような従来の簡易着物を示すものとして、下記特許文献１がある。
【先行技術文献】
【特許文献】
【０００３】
【特許文献１】特許登録第６５０７３３１号
【考案の概要】
【考案が解決しようとする課題】
【０００４】      日本古来の着物の裾合わせの美しさや動きを妨げることなく、着脱が容易で着用後の排泄行為や排泄介助が簡単にでき、歩行時に歩幅の制限が少ない下衣を考案することで、心身の負担を軽減し、身体機能や認知機能の低下に関わらず、着物の着用機会の増加を図るものである。
【課題を解決するための手段】
【０００５】      本考案は、着物を上下にニ分割した下衣部分を後ろ開きにすることで、座位のまま一枚の布の状態になった下衣を前面の腹部側から着用し、臀部の持ち上げなく着衣を容易にし、時間短縮となる。脱衣も背開き状態に左右に二分している背部側から腹部側に向けて下衣を引き出すことが可能となり、排泄時にも下衣を跳ね上げることで介助の負担が軽減する。また下衣を後ろ開きに全開にすることで、スリットとなり足さばきを容易とし、歩行時の課題の解決が図れる。下衣の開口部から下肢が露出する場合は、下衣の右後ろ身ごろの背中心側に布を縫い付けることにより解消できる。また、排泄行為や排泄介助に際しても、後背部に開口部が有るため、着物を簡単に跳ね上げることができ、着物着用時の排泄行為、排泄介助の課題を解決できる。半襟付の上衣、帯締め付前帯、お太鼓・貝の口等の形に加工された簡易型の作り後帯を使用すれば、さらに着脱の所要時間の短縮や容易な着脱が可能となる。また作成にあたっては、既成の着物をリメイクすれば容易に作成することができ、その場合の縫製部分はミシンを使用しても目立たない箇所である。複雑な留め具等の部品も未使用で容易である。座位のみであれば、養生テープやクリップの使用で縫わずに作成することも可能である。
【考案の効果】
【０００６】      本考案の座ったままでも容易に着脱でき、排泄行為も容易で、歩行しやすく、着物本来の美しさを持つ、後ろ開きの着脱の時間が短縮できる下衣の着物は、身体機能や認知機能の低下に関わらず、着物の着用機会の増加が見込まれる。縫製部分が少なく単純で、和裁経験が無くても容易に作成しやすい。また、暮らしに季節感や潤いを与え、過去の着用時の尊厳ある人生を回想する機会や自己肯定感を得ることができる。
【図面の簡単な説明】
【０００７】
【図１】  下衣を後ろ側から見た状態を示す図である。
【図２】  下衣を前側から見た状態を示す図である。
【図３】  下衣を着用した状態を示す図である。
【考案を実施するための形態】
【０００８】  縫製済み着物を上下にニ分割し、下衣の左右前身ごろの胴衣部分を右前に重ね縫いし、後ろ身頃の背縫い部分を全開するように切り離し、一枚の布のような状態に加工する。反物から後ろ開きの下衣の制作をすることも可能である。
【実施例】
【０００９】  以下、添付図面に従って一実施例を説明する。縫製済み着物を上衣と下衣に切り離す。下衣の後ろ身頃の背縫い部分の縫目を切り離し、二枚の布のような状態にする。左後ろ見頃１の右端の背中心側に足し布５を縫い付ける。体型や使用着物の身幅により、着用時に開口部からの下肢の露出がない場合には、足し布５は不要。次に、前後の身頃の胴囲、右前身頃２の上に、左前身頃３を着用した状態になるように、裾を合わせて重ね、胴囲部分を縫い合わせ、一枚の布のような状態にする。この時、右襟先８と左襟先９を取り外しておくほうが、縫いやすく、着用時の腹部がすっきりする。布紐付け位置６に布紐、ゴム紐付け位置７にゴム紐を縫いつける。この方法は胴囲の長さを固定せずに、サイズの調節や動きに合わせて胴囲を伸縮でき、結びやすく解きやすい。ワンタッチ着脱式のアタッチメント付ゴム紐等での作成も可能。また、立位を取ることがない場合、胴囲や背中心部分の縫代やきり端を養生テープで始末したり、ひもを付けずに着用後にクリップ等で止めつけたりするだけでも良い。
【産業上の利用可能性】
【００１０】  着脱が簡単で、排泄行為も容易に可能であり、和服本来の美しさも損なわない下衣なので、着物の着用の機会を増加する効果があり、産業上の利用可能性が高い。
【符号の説明】
【００１１】  １  左後ろ身頃
２  右前身頃
３  左前身頃
４  右後ろ身頃
５  足し布
６  布紐付け位置
７  ゴム紐付け位置
８  右襟先
９  左襟先
【図１】
0003227447.tif 000003
【図２】
0003227447.tif 000004
【図３】
0003227447.tif 000005
(57)【要約】      （修正有）【課題】宅地建物取引士が重要事項説明をする際に提示する「宅地建物取引士証」において、個人の住所（個人情報）が保護されるカバーシールを提供する。【解決手段】国土交通省による「宅地建物取引業の解釈・運営の考え方」第２２条４関係の「宅地建物取引士証の提示について」には、個人情報保護の観点から、容易に剥がすことのできるシールであれば、この住所覧に貼って提示しても差し支えないとされている。これに則り、宅地建物取引士証の住所覧の上に貼付して、宅地建物取引士の個人情報を保護する為のカバーシールであって、宅地建物取引士証の、宅地建物取引士の個人の住所覧の大きさと略同じ大きさを有し、表面には個人情報保護の為の根拠が記載されてもよく、裏面には、宅地建物取引士証から容易に引きはがし可能な糊剤が塗布されてなるカバーシール、を提供する。【選択図】図２
0003227442.tif 000002
【実用新案登録請求の範囲】
【請求項１】
宅地建物取引士証の住所覧の上に貼付して、宅地建物取引士の個人情報を保護する為のカバーシールであって、宅地建物取引士証の、宅地建物取引士の個人の住所覧の大きさと略同じ大きさを有し、表面に個人情報保護の為の根拠が記載されてもよく、裏面は、宅地建物取引士証から容易に引きはがし可能な糊剤が塗布されてなるカバーシール。
【考案の詳細な説明】
【技術分野】
【０００１】本考案は、宅地建物取引士証の住所欄に貼る、専用のカバーシールである。
また、本シールは取り外しが可能なものである。
【背景技術】
【０００２】これまで、宅地建物取引士証を提示して重要事項（宅地建物取引業法第３５条）を説明する際、その宅地建物取引士の個人の住所が明らかになってしまい、個人情報が保護されていなかった。また、自作のカバーシールを貼ろうとしても、機能上、見栄え上マッチングするものが出来なかった。
併せて取り外しができるものという事となるので、実際は無いに等しい状態である。
【特許文献】
【０００３】
【特許文献１】特開２０１７−７１０８３号公報
【特許文献２】特開２０１７−１０９４２４号公報
【考案の概要】
【考案が解決しようとする課題】
【０００４】これまで、宅地建物取引士が宅建業法３５条による重要事項説明をする際、その宅地建物取引士証に記載されている個人の住所を、個人情報の観点から保護する手段が取れず、また、それを自作で行おうとしても、形状、性質上、法的にも合致させることが出来なかった。
それを合法、ルールにのっとり保護する。
【課題を解決するための手段】
【０００５】宅地建物取引士証の住所覧のサイズに合う取り外し可能なカバーシールを貼る。その上に根拠（国土交通大臣による「宅地建物取引業法の解釈・運営の考え方第２２条の４関係」）を記載することにより、お客様からの不信感も無く、その根拠を明確にし、取引に支障が無いようにしてもよい。
他、その色も白・薄いグレー・ブルー・ピンク等を使用することにより、利用する側からも幾つかの自分の考えるイメージに合わせることができる。
【考案の効果】
【０００６】宅地建物取引士の個人の住所が覆われ、個人の住所を保護することができる。
また、そのシール上に上述の根拠を記載することもでき、お客様からも信頼を失うことなく、また不審がられることも無く、安心して取引ができる。
幾つかのカラーバリエーションを加えることにより、利用側（宅地建物取引士）のそれぞれのイメージに合ったものが使える。
【図面の簡単な説明】
【０００７】
【図１】宅地建物取引士証
【図２】宅地建物取引士証の住所覧に、本カバーシールを貼った状態
【考案を実施するための形態】
【０００８】本考案カバーシールは、貼ったり外したりと自在にできるものであって、色は白、グレー、ブルー、ピンク等適宜選択可能である。
住所覧をちょうど覆える程度のカバーシールなので、他の内容には影響しません。
また、本カバーシール上には、その根拠（国土交通大臣による「宅地建物取引業法の解釈・運営の考え方第２２条の４関係」）を記載してもよい。
本カバーシール裏面には、当該カバーシール貼着、引きはがし自在とできるよう、糊剤が塗布されている。
【実施例】
【０００９】図１は宅地建物取引士証を示す図である。宅地建物取引士証中には「住所」覧（図中１参照）があり、そこには宅地建物取引士個人の住所が記載されている。本考案においては、個人情報保護の観点から、この住所覧の住所を覆って宅地建物取引士の個人の住所を隠すためのカバーシールを提供する。【００１０】図２は、本考案のカバーシールを宅地建物取引士証に適用した図である。図中２は本考案のカバーシールであって、「住所覧」は本考案の貼付、引きはがし可能なカバーシールによって覆われ、宅地建物取引士個人の住所のみが隠されている。
カバーシールの大きさは宅地建物取引士証の個人の住所覧の大きさに略一致させ、例えば縦５．５ｍｍ、横５６ｍｍに形成され、その他の項目を隠すことは無い。また、このカバーシールの表面には、「宅地建物取引業法の解釈・運営の考え方第２２条の４関係による」等の文言を記載し、個人の住所をシールによって隠すことが許容されていることの根拠を記載してもよい。
また、カバーシール裏面には、貼付、引きはがしが可能なよう、糊剤が塗布されている。さらに、カバーシール右端に糊剤を塗布しない半円形のような部分を形成し、引きはがしやすくするようにしてもよい。
或いは、その半円形のような部分にも糊剤を塗布してもよい。その他、住所覧の「住所」という文字を隠さないパターンにも対応できるようにする為、左端より１ｃｍの部分の上辺、下辺の部分に例えば白い小さな点を入れ、
前述にある住所という文字を隠さないパターンとする場合は、この部分を目印としてハサミ等で切り離すことにより本シールの大きさが調整でき、これに対応できる。
また、本シール左端の上下部分の角の部分は、丸みを帯びた形状にしてもよい。
加えて、カバーシールに幾つかのカラーバリエーションを加えることにより、宅地建物取引士それぞれのイメージに合ったものとすることもできる。
【産業上の利用可能性】
【００１１】本考案によれば、宅地建物取引士が宅建業法３５条による重要事項説明をする際であっても、「宅地建物取引業法の解釈・運営の考え方第２２条の４関係」によって、宅地建物取引士の個人情報である住所を一時的に隠すことができ、個人情報の保護を図ることができるとともに、また、隠していることが個人情報保護のルールによったものであることを明示することもでき、お客様からも信頼を失うことなく、また不審がられることも無く安心して取引ができる。
【符号の説明】
【００１２】１は、カバーシールを貼る前の住所覧
２はカバーシールを貼付した後の住所覧
【図１】
0003227442.tif 000003
【図２】
0003227442.tif 000004
(57)【要約】      （修正有）【課題】不特定多数が触れる公共の乗り物のつり革や手すりをつかむとき、直接触れずにつかみ、衛生的かつ素早く出し入れができる、収納ケース付つり革手すり用ハンドカバーを提供する。【解決手段】ハンドカバーは、シリコーンゴム素材からなり、一端側に開口部４、５が形成された袋状の人差し指、中指、薬指の三指挿入部１と親指挿入部２の片面のみが帯状物により結合され、手を自由に開閉できるつり革手すり用ハンドカバー本体Ａと、ハンドカバー本体Ａを収納する開閉自在の蓋を有した袋状からなる収納ケースを設ける。【選択図】図１
0003227446.tif 000002
【実用新案登録請求の範囲】
【請求項１】
シリコーンゴム素材からなり、一端側に開口部が形成された袋状の人差し指、中指、薬指の三指挿入部と親指挿入部の片面のみが帯状物により結合され、手を自由に開閉できるつり革手すり用ハンドカバーと、前記ハンドカバーを収納する開閉自在の蓋を有した袋状からなる収納ケースを設けることを特徴とする収納ケース付つり革手すり用ハンドカバー。
【請求項２】
前記ハンドカバーの親指挿入部は人差し指、中指、薬指の三指挿入部より小さい袋状であることを特徴とする請求項１に記載の収納ケース付つり革手すり用ハンドカバー。
【請求項３】
前記収納ケースはつり革手すり用ハンドカバーよりも厚みのあるシリコーンゴム素材で構成されていることを特徴とする請求項１および２に記載の収納ケース付つり革手すり用ハンドカバー。
【請求項４】
つり革手すり用ハンドカバーおよび収納ケースを構成するシリコーンゴム素材は摺動性をもたらす加工がなされることを特徴とする請求項１から３に記載の収納ケース付つり革手すり用ハンドカバー。
【考案の詳細な説明】
【技術分野】
【０００１】  本考案は、公共の乗り物のつり革や手すりに直接触れることなくつかみ、衛生的かつ素早く出し入れができる収納ケース付つり革手すり用ハンドカバーに関するものである。
【背景技術】
【０００２】  近年、不特定多数が触れるため不衛生だという理由から、公共の乗り物のつり革や手すりに直接触れることができなかったり、直接触れることを苦痛に感じる人が増えている。【０００３】  従来、公共の乗り物のつり革や手すりに直接触れないようにするためには、手袋などを使用していた。
【先行技術文献】
【特許文献】
【０００４】
【特許文献１】登録実用新案３２１３１９９号
【特許文献２】登録実用新案３１５３３１２号
【特許文献３】登録実用新案３１７５００５号
【特許文献４】特開２００１−３４８７１２号公報
【考案の概要】
【考案が解決しようとする課題】
【０００５】  ところが、手袋などの商品には次のような欠点があった。
公共の乗り物への乗車時に、商品を取り出し装着するまでに時間を要し、使用後は商品を直接バッグなどに入れることは不衛生であり、それを改善するためには商品を入れる袋などを持参する必要があった。これは、収納時も手間がかかるが、次に使用するときも不衛生となった商品の不衛生な部分に触れることなく取り出し、装着することも困難であった。
本考案は、以上のような欠点をなくすためになされたものである。
【課題を解決するための手段】
【０００６】  本考案は、シリコーンゴム素材からなり、一端側に開口部が形成された袋状の人差し指、中指、薬指の三指挿入部と親指挿入部の片面のみが帯状物により結合され、手を自由に開閉できる鍋つかみのような形状である。
収納ケースは同じくシリコーンゴム素材からなる袋体で、開閉自在の蓋を設ける。
本考案は、以上の構成よりなる収納ケース付つり革手すり用ハンドカバーである。
【考案の効果】
【０００７】  つり革手すり用ハンドカバーに収納ケースを設けるため、衛生的かつ素早く出し入れを行うことが可能となる。
【図面の簡単な説明】
【０００８】
【図１】つり革手すり用ハンドカバー本体を示す斜視図である。
【図２】つり革手すり用ハンドカバーを開いた状態の側面図である。
【図３】収納ケース本体を示す正面図である。
【図４】つり革手すり用ハンドカバーを収納ケースに入れた状態の側面図である。
【図５】つり革手すり用ハンドカバーを右手に装着した状態の参考図である。
【図６】つり革手すり用ハンドカバーを収納ケースから取り出す参考図である。
【考案を実施するための形態】
【０００９】  以下、本考案を実施するための形態について説明する。
つり革手すり用ハンドカバーはシリコーンゴム素材からなり、一端側に開口部が形成された袋状の人差し指、中指、薬指の三指挿入部と親指挿入部の片面のみが帯状物により結合され、手を自由に開閉できる鍋つかみのような形状である。
収納ケースは同じくシリコーンゴム素材からなる袋体で、開閉自在の蓋を設ける。
本考案は、以上のような構造である。
【００１０】  これを使用するときは、収納ケースの蓋を開け、中に入っているつり革手すり用ハンドカバーに小指を除く４本の指を挿入し、つまみ出して使用する。
使用後は、収納ケースにつり革手すり用ハンドカバーを挿入し、収納ケースを持つ手をつり革手すり用ハンドカバーごと強く握り、つり革手すり用ハンドカバーに挿入していた指のみを収納ケースから引き抜き、蓋をする。
次回使用するときも、同様に収納ケースの蓋を開け、中に入っているつり革手すり用ハンドカバーに小指を除く４本の指を入れ、そのままつまみ出して使用するため不衛生となった部分に触れる恐れもなく簡単に取り出せる。
【符号の説明】
【００１１】  Ａ  つり革手すり用ハンドカバー本体
Ｂ  収納ケース本体
１  三指挿入部
２  親指挿入部
３  結合部
４、５  開口部
６  蓋
７  袋部
８  右手
９  親指
１０  左手
【図１】
0003227446.tif 000003
【図２】
0003227446.tif 000004
【図３】
0003227446.tif 000005
【図４】
0003227446.tif 000006
【図５】
0003227446.tif 000007
【図６】
0003227446.tif 000008
(57)【要約】      （修正有）【課題】建物の屋根構造に用いる屋根断熱パネルにおいて、断熱・防湿効果を得るとともに天井部にかかる照明など配線作業を容易にする。【解決手段】野地板１と、垂木材２・３・４と、天井材５と、断熱材６と、通気空間層と、配線通路部８とを有し、野地板と垂木材２と天井材とを用いて四角い筒状の長方体に組み付けるとともに、生じる中空全体に積層二重の断熱材を内設し、また、断熱材は上層部分を一続きに下層部分は別の垂木材４を挟んで分割した形状とし、且つ、野地板及び天井板に沿って断熱材との間にそれぞれに通気空間層を設け、各通気空間層の長手に沿って所定の上下同位置に複数の垂木材３・４を介設して断熱材の支持とし、さらには天井板材と接する垂木材２・４に、配線を通すことの出来る配線通路部を複数設けて、これらを一体に成形した。【選択図】図１
0003227407.tif 000002
【実用新案登録請求の範囲】
【請求項１】
野地板と、垂木材と、天井材と、断熱材と、通気空間層と、配線通路部とを有し、該野地板と該垂木材と該天井材とを用いて四角い筒状の長方体に組み付けるとともに、生じる中空全体に積層二重の該断熱材を内設し、また、該断熱材は上層部分を一続きに下層部分は別の該垂木材を挟んで分割した形状とし、且つ、該野地板及び該天井板に沿って該断熱材との間にそれぞれに該通気空間層を設け、各該通気空間層の長手に沿って所定の上下同位置に当該する複数の該垂木材を介設して該断熱材の支持とし、さらには該天井板材と接する該垂木材に、配線を通すことの出来る該配線通路部を複数設けて、これらを一体に成形したことを特徴とする屋根断熱パネル。
【考案の詳細な説明】
【技術分野】
【０００１】  本考案は、木造建築物の屋根構造に使用される屋根断熱パネルに関する。
【背景技術】
【０００２】  従来より、建物の建築構造を向上させるために様々な提案がなされ、屋根断熱パネルもその一つで、断熱・防湿はもちろん、工事期間の短縮や作業効率にも効果を上げている。【０００３】屋根の野地構造においては屋根組の垂木上に野地板を貼り固定する方法が一般的である。
【考案の開示】
【考案が解決しようとする課題】
【０００４】  近年住宅においては、断熱や防湿、通気性が求められるとともに、建物によっては従来状の天井を有さない屋根構造も多く見られ、構造上、あるいは作業効率上の多くの問題を抱えていた。【０００５】本考案は、上記従来有する問題点に鑑み、木造建築物の屋根構造に使用される屋根断熱パネルに関し、建築作業を省力化できると共に、断熱・防湿効果、意匠性にも優れた屋根断熱パネルを提供しようとするものである。【０００６】詳しくは、建物の屋根構造に用いる屋根断熱パネルにおいて、断熱・防湿効果を得るとともに天井部にかかる照明など配線作業を容易にする。
【課題を解決するための手段】
【０００７】  野地板１と、垂木材２・３・４と、天井材５と、断熱材６と、通気空間層７と、配線通路部８とを有し、該野地板１と該垂木材２と該天井材５とを用いて四角い筒状の長方体に組み付けるとともに、生じる中空全体に積層二重の該断熱材６を内設し、また、該断熱材６は上層部分を一続きに下層部分は別の該垂木材４を挟んで分割した形状とし、且つ、該野地板１及び該天井板５に沿って該断熱材６との間にそれぞれに該通気空間層７を設け、各該通気空間層７の長手に沿って所定の上下同位置に当該する複数の該垂木材３・４を介設して該断熱材６の支持とし、さらには該天井板材５と接する該垂木材２・４に、配線を通すことの出来る該配線通路部８を複数設けて、これらを一体に成形した。
【考案の効果】
【０００８】  本考案によれば、施工現場に於いて正確な取り付け作業等が容易であり、かつ、工事期間の短縮や端材の軽減、効果的な保温・断熱効果、照明などの天井配線作業を容易にすることが期待できる。【０００９】また、本考案の屋根断熱パネルは、断熱材や天井材、天井照明などの配線工事作業が容易になる構造が、垂木と一体に形成されていることから、従来屋根構造の垂木設置作業を省略することができる。【００１０】製品仕様によっては、本考案の屋根断熱パネルの構造の一部である断熱材の取り付け方法を変更することも可能である。
【考案を実施するための最良の形態】
【００１１】  以下、本考案の実施の形態について、図面を参照して説明する。
図１・図２・図３・図４に示すように、野地板１と、垂木材２・３・４と、天井材５と、断熱材６と、通気空間層７と、配線通路部８とを有し、該野地板１と該垂木材２と該天井材５とを用いて四角い筒状の長方体に組み付けるとともに、生じる中空全体に積層二重の該断熱材６を内設し、また、該断熱材６は上層部分を一続きに下層部分は別の該垂木材４を挟んで分割した形状とし、且つ、該野地板１及び該天井板５に沿って該断熱材６との間にそれぞれに該通気空間層７を設け、各該通気空間層７の長手に沿って所定の上下同位置に当該する複数の該垂木材３・４を介設して該断熱材６の支持とし、さらには該天井板材５と接する該垂木材２・４に、配線を通すことの出来る該配線通路部８を複数設けて、これらを一体に成形した。
【図面の簡単な説明】
【００１２】
【図１】  本考案に於ける屋根断熱パネルの概念を表す分解正面図である。
【図２】  本考案に於ける屋根断熱パネルの正面図である。
【図３】  図２のＡ−Ｂ矢視断面図である。
【図４】  図２のＣ−Ｄ矢視断面図である。
【符号の説明】
【００１３】１            野地板
２・３・４    垂木材
５            天井材
６            断熱材
７            通気空間層
８            配線通路部
【図１】
0003227407.tif 000003
【図２】
0003227407.tif 000004
【図３】
0003227407.tif 000005
【図４】
0003227407.tif 000006
【手続補正書】
【提出日】令和2年4月28日(2020.4.28)
【手続補正１】
【補正対象書類名】実用新案登録請求の範囲
【補正対象項目名】全文
【補正方法】変更
【補正の内容】
【実用新案登録請求の範囲】
【請求項１】
野地板と、垂木材と、天井材と、断熱材と、通気空間層と、配線通路部とを有し、該野地板と該垂木材と該天井材とを用いて四角い筒状の長方体に組み付けるとともに、生じる中空全体に積層二重の該断熱材を内設し、また、該断熱材は上層部分を一続きに下層部分は該垂木材を挟んで分割した形状とし、且つ、該野地板及び該天井板に沿って該断熱材との間にそれぞれに該通気空間層を設け、各該通気空間層の長手に沿って所定の上下同位置に当該する複数の該垂木材を介設して該断熱材の支持とし、さらには該天井板材と接する該垂木材に、配線を通すことの出来る該配線通路部を複数設けて、これらを一体に成形したことを特徴とする屋根断熱パネル。
(57)【要約】      （修正有）【課題】室内飼育の小型犬等のペットが、トイレトレー以外で排尿した場合に、手を汚さず片手で吸水と除菌を迅速にするためのお掃除シートを提供する。【解決手段】吸水と除菌の清掃作業を片手でできるお掃除シート１であって、共に防水加工を施した吸水シート２と除菌ウェットシート３を両面に有し、防水面を内側に配して３辺を接着した袋状の形態を特徴とする。【選択図】図１
0003227436.tif 000002
【実用新案登録請求の範囲】
【請求項１】
一方の面は吸水シートで、もう一方の面は除菌ウェットシートで構成され、内側になる部分に防水加工を施し、少なくとも３辺を接着した袋状の形態を特徴とするお掃除シート。
【考案の詳細な説明】
【技術分野】
【０００１】  本考案は共に内側に防水加工を施した吸水シートと除菌ウェットシートの３辺を接着した袋状の形態であって、吸水と除菌を片手で行うことができるお掃除シートに関するものである。
【背景技術】
【０００２】  室内において小型犬など飼育する場合、トイレトレー以外の床やカーペットなどで排尿してしまうことが多々ある。その際、吸水シートを取り出し尿の吸水し、その後除菌ウェットシートを用意して、それぞれ別々に用意して清掃していた。
【先行技術文献】
【特許文献】
【０００３】
【特許文献１】特開２０１９−２１６８４３
【特許文献２】特開２００１−３１４１３１
【考案の概要】
【考案が解決しようとする課題】
【０００４】  室内飼育のペットなど特に小型犬の場合、トイレトレーニング中はトイレトレーからはみ出したり、床やカーペットなど違う場所に排尿してしまうことがある。すぐに清掃したいが吸水シートと掃除用具を用意している間にペットが近づいて走り回り、なかなかできないことが多々ある。また尿が手に触れて汚れるという課題があった。
【課題を解決するための手段】
【０００５】  本考案は片手で吸水と除菌の清掃作業ができるように外側に吸水シートと掃除用除菌ウェットシートを配し、３辺を接着した袋状の形態を特徴とする。【０００６】  本考案は吸水シートと掃除用除菌ウェットシートの両方とも防水加工を施し、防水面を内側にして接着することを特徴とする。【０００７】  本考案は吸保水機能、消臭機能、防汚機能等付加機能を有する吸水シートと防水加工を施した除菌ウェットシートで構成されることを特徴とする。
【考案の効果】
【０００８】  本考案の掃除シートは、室内飼育の小型犬等のペットがトイレトレー以外の床、カーペット、畳等で排尿した場合に、ペットが周辺を走り回っていても片手で吸水し、除菌することができる。【０００９】  本考案の掃除シートは、吸水シートと除菌ウェットシートが３辺を接着した袋状の形態のため、吸水した後すぐに袋の中で手を回転させ、もう一面の除菌ウェットシートで拭き掃除をすることができる。【００１０】  本考案の掃除シートの除菌ウェットシートは防水加工を施してあるため拭いた尿などが直接手に触れることがなく、また除菌ウェットシートに含まれるアルコール等による手荒れを防ぐことができる。【００１１】  本考案の掃除シートは、清掃して汚れた面を内側に裏返して、手を汚さず捨てることができる。
【図面の簡単な説明】
【００１２】
【図１】本考案の掃除シートの全体構成を示す斜視図である。
【図２】本考案の掃除シートのＡ−Ａ’の断面図である。
【図３】本考案の掃除シートの吸水面の断面図である。
【図４】本考案の掃除シートの除菌ウェットシート面の断面図である。
【考案を実施するための形態】
【００１３】    本考案は防水加工を施した吸水シート２と防水加工を施した除菌ウェットシート３で構成され、防水面を内側にして３辺を接着した袋状の形態である。
【実施例】
【００１４】    以下、図面に従って実施例を説明する。防水加工を施した吸水シート２と防水加工を施した除菌ウェットシート３の３辺を接着した掃除シートであり、【００１５】    吸水シート２は、吸保水機能、防汚機能、消臭等の機能を有する吸水ポリマー２ａを不織布２ｂ等で覆われたものからなり、プラスチック等の防水性材料のフィルム、シート２ｃ等で防水加工を施し、【００１６】  除菌ウェットシート３は、上記の吸水シート２と同様に防水性材料のフィルム、シート３ａ等で防水加工を施し、【００１７】  吸水シート２と除菌ウェットシート３の防水加工面を内側にして３辺を接着し袋状の形態としたお掃除シートである。
【産業上の利用可能性】
【００１８】    本考案の掃除シートはペット用だけでなく、育児用、介護用として食べこぼしやトイレ周りの清掃にも迅速に対応することができる。
【符号の説明】
【００１９】１  掃除シート
２  吸水シート
２ａ吸水ポリマー
２ｂ不織布
２ｃ防水シート
３  除菌ウェットシート
３ａ防水シート
【図１】
0003227436.tif 000003
【図２】
0003227436.tif 000004
【図３】
0003227436.tif 000005
【図４】
0003227436.tif 000006
(57)【要約】【課題】多数の暗記事項を記憶するための視覚、聴覚的に反復訓練する苦痛が、ジグソーパズルという遊戯にすることによって軽減し、より記憶の定着に寄与する暗記用ジグソーパズルを提供することを目的とする。【解決手段】暗記事項がジグソーパズルの欠片（ピース）ごとに記載され、欠片（ピース）が組み合わされて一体に構成された盤と、該欠片（ピース）に対応して収納可能な台とからなり、該台における一つの欠片（ピース）が嵌る位置に、該欠片（ピース）に記載されている暗記事項に対応する情報が記載されていることを特徴とする暗記用ジグソーパズルとする。【選択図】図１
0003227476.tif 000002
【実用新案登録請求の範囲】
【請求項１】
暗記事項がジグソーパズルの欠片（ピース）ごとに記載され、欠片（ピース）が組み合わされて一体に構成された盤と、該欠片（ピース）に対応して収納可能な台とからなり、該台における一つの欠片（ピース）が嵌る位置に、該欠片（ピース）に記載されている暗記事項に対応する情報が記載されていることを特徴とする暗記用ジグソーパズル。
【考案の詳細な説明】
【技術分野】
【０００１】  本考案は、暗記事項を記憶するためのジグソーパズルに関するものである。
【背景技術】
【０００２】  既存のジグソーパズルは、表面に絵あるいは写真のような画像を描いた盤を分割し、欠片（ピース）に切り分け、それをバラバラにして、再び元の絵あるいは写真を復元すべく欠片（ピース）を並べていく作業によって、欠片（ピース）を嵌める位置を推察し組み上げる楽しみを目的としている。
特許文献１には日本地図をジグソーパズル化して、日本の高速道路等の位置を覚えるに用いるものが開示されている。しかしながら、これには欠片（ピース）に記載された内容を記憶することはできるものの、有る一定の対応を示す暗記事項とそれに対応する情報とをセットして覚えるといった機能は含まれていないという問題点があった。
【先行技術文献】
【特許文献】
【０００３】
【特許文献１】実開平７−５１６３号公報
【考案の概要】
【考案が解決しようとする課題】
【０００５】  多数の暗記事項を記憶するための視覚、聴覚的に反復訓練する苦痛が、ジグソーパズルという遊戯にすることによって軽減し、より記憶の定着に寄与する暗記用ジグソーパズルを提供することを目的とするものである。
【課題を解決するための手段】
【０００６】  本考案は、例えば図１に示した例のように、欠片（ピース）の表面に英単語が書かれ、該欠片（ピース）が嵌る位置に、対応する日本語が記されている。これによって該パズル実施者は該英単語における日本語の意味を視覚、聴覚的に暗記しようとする作用が働く。暗記事項は英単語に限らず、歴史年号でも元素記号でも何でもよい。素材は普通、厚紙が好ましいが、木材、プラスティック、金属シートなどでもよい。ジグソーパズル全体の大きさは１辺３０〜１００ｃｍが好ましく、欠片（ピース）の数は９〜２０００が好ましい。表面の柄などについては、白い無地の盤面を用いるのが好ましいが、色付き、柄付き、模様付きであってもよい。
【考案の効果】
【０００７】本考案は、ただ漫然とジグソーパズルを嵌め上げて完成させるのではなく、記憶と絡めた遊び方、例えば記憶していない欠片（ピース）は嵌めないなどといった独自のルールを工夫することによって、ジグソーパズルの完成という達成感と同時に記憶の定着が完了するという効果を有する。また、遊戯として繰り返し反復実施することにより暗記事項と情報との結びつきを強化する効果を有する。
【図面の簡単な説明】
【０００８】
【図１】本考案の暗記用ジグソーパズルの正面図である。
【考案を実施するための形態】
【０００９】  全体面の形と材質を問わないジグソーパズルを作成する無地の盤面と、当該ジグソーパズルを嵌め込んでいくための全体面の形と材質を問わない台を用意し、辺に個別性があるもののおおむね同じ大きさの正方形または長方形に近い形でジグソーパズルの欠片（ピース）を盤面から均等分割的にカットする目算をつけ、均等に並ぶジグソーパズルの欠片（ピース）の一つ一つに暗記事項の一つ一つがはみ出さないように均等に暗記事項を記載していき、また、当該ジグソーパズルを嵌め込む台のそれぞれの欠片（ピース）が嵌る位置に、それぞれの暗記事項に対応する情報を、それぞれの欠片（ピース）の表面に書かれた暗記事項に合致するように均等に記載していき、盤面を目算通り欠片（ピース）にカットしてジグソーパズルにする。
【実施例】
【００１０】  縦２５ｃｍ、横２５ｃｍ、厚さ２ｍｍの厚紙を図１に示すようにジグソーパズルの形式で９ピースに分割し、それぞれの表面に英単語を記載し、そのピースに対応する台の位置に対応する日本語を記載してジグソーパズルとして完成させた。台は該ピースがぴったりと収納できる構造とした。例えば右上の例であれば、ピースには英語の「ｍｅ」が、対応する対応する台の位置には日本語の「私を」という情報が記載されており、英語と日本語との対応をこのジグソーパズルを組み立てることにより覚えることが出来る。
【符号の説明】
【００１１】１  台の枠
２  欠片（ピース）
３  暗記事項
４  台
５  対応する情報
【図１】
0003227476.tif 000003
(57)【要約】【課題】  夏場など、外気温が高い時期にあっても快適に装着できるマスクを提供する。【解決手段】  顔の一部を被覆可能な被覆布部及び耳掛け部を備えるマスクであって、前記被覆布部の顔の肌表面と接触する面が、前記肌表面に対する接触冷感作用を有する接触冷感繊維によって構成されてなり、マスク装着によって顔の肌表面が感じる蒸し暑さを低減することができるマスクを提供する。【選択図】      図１
0003227659.tif 000002
【実用新案登録請求の範囲】
【請求項１】
顔の一部を被覆可能な被覆布部及び耳掛け部を備えるマスクであって、
前記被覆布部の顔の肌表面と接触する面が、前記肌表面に対する接触冷感作用を有する接触冷感繊維によって構成されてなる
ことを特徴とするマスク。
【請求項２】
前記被覆布部が、厚さ方向に対して複数の層によって構成されてなり、前記層のうち顔の肌表面と直接接する最内面側層が前記接触冷感繊維によって構成されてなる
ことを特徴とする請求項１に記載のマスク。
【請求項３】
前記接触冷感繊維が、ポリエチレン、リネン、レーヨン、ポリエステル、ナイロン、キュプラ、及びシルクから選択される１または２以上の素材によって形成されてなる
ことを特徴とする請求項１または２に記載のマスク。
【考案の詳細な説明】
【技術分野】
【０００１】
本考案は、顔に装着するマスクに関する。
【背景技術】
【０００２】
従来、ガーゼ布を重ね合わせに折り畳みまたは積層して長方形状に形成したガーゼ布積層地の両側端縁に装着用の耳かけ紐を取り付けてなるガーゼマスクが考案されてなる。
【先行技術文献】
【特許文献】
【０００３】
【特許文献１】実登第２５４６８３４号公報
【考案の概要】
【考案が解決しようとする課題】
【０００４】
マスクは、花粉や細菌、さらにはウイルスが鼻腔若しくは口腔から侵入することを防止するために顔表面に装着して使用する。しかし、外気温の高い夏などにマスクを装着することは、顔とマスクとの間に滞留する空気の循環が悪いために汗によって顔の肌表面が蒸れるなどにより不快感が増幅され、細菌等進入防止の目的ために必要とわかっていてもマスクの装着を怠る動機ともなっていた。そのため、特に感染作用が強い細菌やウイルスなどが蔓延する可能性のある時期に、マスクの装着を怠り、装着率を下げることは、感染を助長する要因ともなる。
【課題を解決するための手段】
【０００５】
そこで、上記課題を解決するための手段として本考案に係るマスクは、顔の一部を被覆可能な被覆布部及び耳掛け部を備えるマスクであって、前記被覆布部の顔の肌表面と接触する面が、前記肌表面に対する接触冷感作用を有する接触冷感繊維によって構成されてなることを特徴とする。
【０００６】
ここで、接触冷感とは、熱伝導によって顔の肌表面の体温を接触冷感繊維に移動させる機能によって、顔の肌表面から体温が奪われる感覚を冷感として感じさせる作用をいう。
【０００７】
また、前記被覆布部が、厚さ方向に対して複数の層によって構成されてなり、前記層のうち顔の肌表面と直接接する最内面側層が前記接触冷感繊維によって構成されてなることとしても好ましい。
【０００８】
さらに、前記接触冷感繊維が、ポリエチレン、リネン、レーヨン、ポリエステル、ナイロン、キュプラ、及びシルクから選択される１または２以上の素材によって形成されてなることが好ましい。
【考案の効果】
【０００９】
本考案によれば、被覆布部の顔の肌表面と接する部分が、前記肌表面に対して接触冷感作用をもたらすため、特に夏場などの気温の高い時期にマスクを装着しなければならない場合にもマスク装着によって顔の肌表面が感じる蒸し暑さを低減することができる。
【図面の簡単な説明】
【００１０】
【図１】マスク１の被覆布部２が顔の肌表面に触れる面Ｃを正面とした正面図である。
【図２】マスク１のＡ−Ａ断面図である。
【図３】マスク１を顔に装着した様子を示す図である。
【考案を実施するための形態】
【００１１】
以下、本考案に係る実施の形態を、図を参照しながら詳しく説明する。なお、本明細書及び図面において、実質的に同一の機能構成を有する構成要素については、同一の符号を付することにより重複説明を省略する。
【００１２】
図１は、本願考案に係るマスク１の被覆布部２が顔の肌表面に触れる面Ｃを正面とした正面図である。被覆布部２の両側縁には耳掛け紐３，３が取り付けられてなる。被覆布部２は、図２のＡ−Ａ断面図に示すように、厚さ方向に２層の布地が重ね合わされて構成されてなる。本実施の形態においては、顔の肌表面に触れる面Ｃを構成する内面布地４が、肌表面に対する接触冷感作用を有する接触冷感繊維によって形成されてなり、被覆布部２の外側層を構成する外面布地５は、綿によって形成されてなる。
【００１３】
本実施の形態においては、接触冷感繊維に疎水性を備えるポリエステル繊維と親水性繊維との組み合わせによって構成されてなるものを用いた。なお、図１中の破線は被覆布部２を保形するための縫い目を示している。
【００１４】
図３には、マスク１を顔に装着した様子を示しており、接触冷感繊維によって形成されてなる内面布地４が顔の肌表面に接触することにより、熱伝導によって顔の肌表面の体温を内面布地４に移動させて奪うことで、冷感を感じさせることにより、夏場などの外気温が高い季節などにおいてもマスク装着の怠りを回避させることができる。
【符号の説明】
【００１５】
１  マスク
２  被覆布部
３  耳掛け紐
４  内面布地
５  外面布地
【図１】
0003227659.tif 000003
【図２】
0003227659.tif 000004
【図３】
0003227659.tif 000005
(57)【要約】      （修正有）【課題】断熱材固定具を二つ割りし、部屋の外周部で使用する場合に、左右により割り易くするための断熱材固定具を提供する。【解決手段】断熱材固定具本体の背割りの為の凹み部分４にて、より容易に二つ割ができるように、二つ割りのための凹み部分４の両端に切込み加工１をし、より凹み部分４に力が集中し切り離しやすくする。【選択図】図１
0003227657.tif 000002
【実用新案登録請求の範囲】
【請求項１】
根太や大引に乗せ、押出発泡ポリスチレンに代表される板状断熱材を止付ける金具の背の中央に左右に割るための背割りの凹みをプレスで入れているが、この凹みの両端に切          り欠きを設け、左右により割り安くすることを特徴とする断熱材固定具。
【考案の詳細な説明】
【技術分野】
【０００１】  本考案は、左右に切り離すための背割りの凹みの両端部に切込みを設けた断熱材固定具に関するものである。
【背景技術】
【０００２】  省エネのため、根太や大引、また垂木・母屋等の部材にその材を跨ぐ金属または樹脂製の断熱材固定具を使用する。建物の外周部や部屋の外周部には、片側にだけ断熱材が来ることが一般的であるため断熱材固定具を二つに割って使用していた。
【先行技術文献】
【非特許文献】
【０００３】
【非特許文献１】「木野内化成産業株式会社  Πパイピン製品リーフレット  ２０１８年６月２６日」
【考案の概要】
【考案が解決しようとする課題】
【０００４】  断熱材固定具は二つ割を想定し、プレスによる切り離しのための背割りの凹みを付けているが、プレスによる凹みだけでは二つに割ることが困難であり施工現場で苦労している。より容易に二つ割ができるように二つ割のための凹み部分の両端に切込み加工をし、前述の欠点を解決しようとするものである。
【課題を解決するための手段】
【０００５】  本考案は背割りの為の凹みの両端部に切込みを作り問題点を解決している。
【考案の効果】
【０００６】  上述のように、本考案の断熱材固定金具は、背割りの為の凹み部分の両端に切込みがあるため容易に凹み部分に力が集中し容易に二つ割することができる。
【図面の簡単な説明】
【０００７】
【図１】本考案の断熱材固定具の一実施例を示す正面図、平面図、側面図、である。
【図２】［図１］に示す本校案の断熱材固定具の二つ割り品図である。
【図３】本考案の断熱材固定具の切欠き部の形状を変えた具体例である。
【図４】断熱材固定具と、二つ割固定具で断熱材を固定する施工図
【考案を実施するための形態】
【０００８】  断熱材固定具のすべての製品に、背割りの凹み部分の両端に切込みを入れ、二つ割り品として使うときにのみ、手で容易に折り曲げて切り離し二つ割りにし使用する。
【実施例】
【０００９】  以下、添付図面［図３］により実施例を説明する。切込み部分と凹み部分に合わせ指に力を入れ１〜２度曲げ伸ばしをして切り離し、片側の断熱材施工部分の根太や大引き、母屋、垂木などに切起こし爪を打ち込み固定する。【００１０】  ［図３］は切欠き部分の各種の具体例で、切欠き部分を円形や線状の切込みなどにもできる。【００１１】  ［図４］は断熱材固定具と、二つ割固定具で断熱材を固定する施工図。
【符号の説明】
【００１２】  １  切込み
２  切起こし爪
３  断熱材抑えの半球の凸部
４  プレスによる背割りのための凹部
【図１】
0003227657.tif 000003
【図２】
0003227657.tif 000004
【図３】
0003227657.tif 000005
【図４】
0003227657.tif 000006